(57)【要約】【課題】  床面などの乾燥状態の被清掃部と便器内などの濡れた被清掃部の双方の清掃が可能であり、使用後は水洗トイレット内などに廃棄して短い時間で水解できる水解性の清掃用品を提供する。【解決手段】  ホルダ１０に着脱自在に装着される清掃用品１の清掃部３が、ＰＶＡ樹脂などの湿潤収縮性樹脂の繊維の集合体で形成されている。清掃部３はブラシ状であり、この清掃部３で床面などの乾燥した箇所のゴミや埃を除去することができる。便器内などの清掃を行って清掃部３が水で濡れると繊維が膨潤して収縮し繊維どうしが密着して、ＰＶＡ樹脂の塊状となる。この塊は水を含み且つクッション性を有するため、この塊により、便器に付着した汚れを拭き取ることが可能になる。【選択図】図１
2006314624.tif 000002
【特許請求の範囲】
【請求項１】
水中で分散可能な水解性の清掃用品において、
清掃部と保持部とを有し、前記清掃部の少なくとも一部が、親水性で且つ水を吸収したときに少なくとも一方向へ収縮する湿潤収縮性樹脂で形成されていることを特徴とする水解性の清掃用品。
【請求項２】
前記清掃部に、湿潤収縮性樹脂の繊維が多数設けられている請求項１記載の水解性の清掃用品。
【請求項３】
前記湿潤収縮性樹脂の繊維は、自重の３倍のイオン交換水（水温２０℃）を含んだときに、その長さが２０％以上減少する請求項２記載の水解性の清掃用品。
【請求項４】
前記湿潤収縮性樹脂の繊維は、トウから形成されたものである請求項２または３記載の水解性の清掃用品。
【請求項５】
前記清掃部に、湿潤収縮性樹脂のフィルムが設けられている請求項１記載の水解性の清掃用品。
【請求項６】
前記湿潤収縮性樹脂のフィルムに、切り込みで分離された複数の短冊状片が設けられている請求項５記載の水解性の清掃用品。
【請求項７】
前記保持部には、湿潤収縮性樹脂を保持する水解性の保持材が設けられている請求項１ないし６のいずれかに記載の水解性の清掃用品。
【請求項８】
前記保持部が着脱自在に保持されるホルダが設けられている請求項１ないし７のいずれかに記載の水解性の清掃用品。
【発明の詳細な説明】
【技術分野】
【０００１】
本発明は、乾燥状態と水分を吸収した湿潤状態の双方において拭き取り清掃を行うことができ、且つ使用後に水中に廃棄することが可能な水解性の清掃用品に関する。
【背景技術】
【０００２】
以下の特許文献１には、水洗トイレットの清掃に使用する使い捨てトイレ掃除ブラシに関する発明が開示されている。
【０００３】
このトイレ清掃ブラシは、木質パルプである短繊維とＣＭＣなどのバインダーで形成された紙を使用し、この紙に複数の切り込みを形成するとともにこの紙を巻いてブラシ状にしている。前記トイレ清掃ブラシは、紙製の持手部の先部に固定されている。前記トイレ清掃ブラシで便器を拭いた後に、トイレ清掃ブラシを持手部と共に水洗トイレットの中に廃棄し、水中で分解させるというものである。また、紙が溶解する時間を調整するために、ブラシ表面にワックス処理を施すことも記載されている。
【特許文献１】特開昭６２−１８６８３３号公報
【発明の開示】
【発明が解決しようとする課題】
【０００４】
前記特許文献１の明細書には、便器を清掃する時間は１０秒から２０秒程度の短時間であるため、トイレ清掃ブラシを構成する紙が水に溶ける前に清掃できるとの主旨の記載がある。
【０００５】
しかし、木質パルプを水溶性のＣＭＣで固定した紙そのもので形成されたトイレ清掃ブラシは、便器の清掃中に水に触れた時点で繊維どうしの結合力が低下して紙の強度が極端に低下するため、便器に付着した汚れを拭き落とすことは難しい。またブラシをワックス処理したものでは、ワックス成分が紙の分解を抑制するため、浄化槽内などでブラシが分解されるまでに長い時間を要する。
【０００６】
また紙で形成されたブラシはきわめて軟質であるため、このトイレ清掃ブラシで、床面などの乾燥した被清掃部を清掃しても、埃やゴミを効果的に除去するのが難しい。
【０００７】
本発明は上記従来の課題を解決するものであり、乾燥状態と湿潤状態の双方において効果的な汚れの除去効果を発揮でき、使用後に水洗トイレットの便器内などに廃棄されたときに短時間で水解可能な水解性の清掃用品を提供することを目的としている。
【課題を解決するための手段】
【０００８】
本発明は、水中で分散可能な水解性の清掃用品において、
清掃部と保持部とを有し、前記清掃部の少なくとも一部が、親水性で且つ水を吸収したときに少なくとも一方向へ収縮する湿潤収縮性樹脂で形成されていることを特徴とするものである。
【０００９】
本発明の水解性の清掃用品は、清掃部を形成する湿潤収縮性樹脂が乾燥状態で埃やゴミを払う機能を発揮する。水洗トイレットの便器などを清掃するときは、清掃部の湿潤収縮性樹脂が水を吸収し、収縮して軟質な塊状の集合体となる。この集合体は、便器などに付着した汚れを擦り取るの適したものとなる。
【００１０】
例えば、本発明は、前記清掃部に、湿潤収縮性樹脂の繊維が多数設けられているものであり、前記湿潤収縮性樹脂の繊維は、トウから形成されたものが使用される。
【００１１】
前記湿潤収縮性樹脂の繊維は、自重の３倍のイオン交換水（水温２０℃）を含んだときに、その長さが２０％以上減少することが好ましい。
【００１２】
あるいは本発明は、前記清掃部に、湿潤収縮性樹脂のフィルムが設けられているものである。この場合に、前記湿潤収縮性樹脂のフィルムに、切り込みで分離された複数の短冊状片を設けることが可能である。
【００１３】
また、本発明は、前記保持部には、湿潤収縮性樹脂を保持する水解性の保持材が設けられている構造とすることが可能である。
【００１４】
この保持材を設けることで、乾燥状態において保持部の形状を維持でき、この保持部を手で持って清掃したり、保持部をホルダに装着して清掃することができる。
【００１５】
よって、本発明は、前記保持部が着脱自在に保持される前記ホルダが設けられているものとすることができる。このホルダを使用すると、乾燥状態と湿潤状態の双方において、ホルダで清掃用品をしっかり保持して清掃ができ、また使用後の清掃用品に手を触れることなく、清掃用品を水洗トイレット内などに廃棄することができる。
【発明の効果】
【００１６】
本発明の水解性の清掃用品は、乾燥状態と湿潤状態の双方において優れた清掃効果を発揮でき、使用後に水中に廃棄すると、水中で短時間で分解できる。
【発明を実施するための最良の形態】
【００１７】
図１は本発明の水解性の清掃用品がホルダに保持された状態を示す斜視図、図２（Ａ）（Ｂ）および図３（Ａ）（Ｂ）は、図１に示すホルダに保持されている第１の実施の形態の水解性の清掃用品を示す斜視図である。
【００１８】
本発明の湿潤収縮性樹脂とは、繊維またはフィルム状で使用される湿潤収縮性繊維または湿潤収縮性フィルムであり、水分を吸収し繊維が太くなるように膨潤し、またはフィルムの厚みが増大するように膨潤する結果、繊維長が例えば２０％以上減少するように収縮し、フィルムはその面積が例えば２０％以上減少するものを意味している。
【００１９】
図３（Ｂ）は第１の実施の形態の水解性の清掃用品１を示している。水解性の清掃用品１は、保持部２と清掃部３を有している。この清掃用品１の保持部２が図１に示すホルダ１０に着脱自在に装着される。
【００２０】
図１に示すホルダ１０は、合成樹脂製の柄部１１の先部に支持部１２が一体に形成され、この支持部１２に対向する合成樹脂製の押さえ部１３が設けられている。支持部１２はその支持面が平坦面であり、押さえ部１３も支持部１２に対向する支持面が平坦面である。支持部１２と押さえ部１３は、支持面どうしが互いに平行となるように対向している。押さえ部１３にはレバー１４が一体に形成されており、このレバー１４が、柄部１１に形成されたブラケット１１ａに、軸１５を介して回動自在に支持されている。前記レバー１４の上部には操作ワイヤ１６が回動自在に連結されている。
【００２１】
前記軸１５にはトーションスプリング（図示省略）が装着され、このトーションスプリングによって、レバー１４が軸１５を支点として時計方向へ付勢され、押さえ部１３が支持部１２に接近する方向へ付勢されている。柄部１１の上部にはハンドル部が設けられ、このハンドル部に操作レバーが設けられている。前記操作ワイヤ１６は太い針金線であり、その上端が前記操作レバーに連結されている。操作レバーを引き上げると、レバー１４が反時計方向へ回動して押さえ部１３が支持部１２から離れる。このとき、清掃用品１の保持部２を支持部１２と押さえ部１３との間に入れ、操作レバーを離すと、前記トーションスプリングの付勢力により、支持部１２と押さえ部１３との間で清掃用品１の保持部２が挟持される。
【００２２】
清掃用品１がホルダ１０に保持された状態で、清掃用品１の清掃部３で便器の周辺の床などの乾燥部分や便器の内部の濡れている部分を清掃することができる。また、便器内に溜まっている水で清掃部３を濡らして拭き取りを行うことも可能である。清掃作業が終了したら、前記操作レバーを持ち上げ、押さえ部１３による押さえ力を解除することで、清掃用品１に手を触れることなく、この清掃用品１を便器内に廃棄することができる。
【００２３】
清掃用品１の清掃部３は、水分を吸収したときに収縮する湿潤収縮性樹脂の繊維４で形成されている。この湿潤収縮性樹脂の繊維４は、ＰＶＡ（ポリビニルアルコール）樹脂などの水溶性樹脂、または水を吸収して膨潤する水膨潤性樹脂で形成されている。水を吸収して繊維が膨らむように膨潤する結果、繊維長が短くなるように収縮する。実施の形態の清掃用品１に使用されている繊維４は、株式会社クラレ製の品番「ＶＰＢ１０１」のＰＶＡ樹脂繊維であり、繊度が１．７ｄｔｅｘである。この繊維４はクリンプ処理されておらず、倦縮されていない。繊維４の繊度の好ましい範囲は、０．６〜７．８ｄｔｅｘである。
【００２４】
前記繊維４は、自重の３倍以上の水分を吸収することができ、水温が２０℃のイオン交換水を自重の３倍吸収したときに、その繊維長が２０％以上減少するものが使用される。
【００２５】
図２（Ａ）は、前記繊維４が集合した束であるトウ（ＴＯＷ）４Ａを示している。このトウ４Ａは、多数の前記繊維４が集合して機械的（物理的）に圧縮され、繊維間の分子間結合力によって繊維４どうしが密着して円柱形状を保っている。トウ４Ａは連続しているものであるが、清掃用品１を製造する際に、トウ４Ａを３０〜１００ｍｍ程度の長さで例えば５０ｍｍの長さに切断して使用する。前記長さの範囲のトウ４Ａで清掃部３を形成すると、ゴミや埃を除去するブラシとして機能しやすくなり、また水洗トイレット内に流したときに、前記範囲の長さの繊維であれば、配管内に詰まることなく容易に浄化槽まで流れるようになる。
【００２６】
図２（Ｂ）に示すように、前記長さに切断されたトウ４Ａを、繊維と直交する方向へ広げて、所定幅で且つ所定厚みの平坦な繊維束４Ｂを形成する。この繊維束４Ｂを形成する際には、トウ４Ａの状態から開繊して個々の繊維をばらばらに分散させる工程を経ることなく、トウ４Ａにおける繊維４どうしの機械的（物理的）な接合状態（圧縮されて分子間結合力で接合された状態）が、繊維束４Ｂの少なくとも一部に残るようにする。好ましくは、繊維束４Ｂの５０％以上さらに好ましくは７０％以上の繊維が、前記分子間結合力で接合された状態を保つようにする。
【００２７】
繊維束４Ｂは、クリンプ処理されていないＰＶＡ樹脂の繊維４の集合体であり、繊維４どうしが密着して機械的（物理的）に接合された状態が保たれているため、繊維束４Ｂは剛性が高く、弾力性に富んでいる。
【００２８】
次に、図３（Ａ）に示すように、繊維束４Ｂの一方の端部を保持材５で覆い、保持材５の内面と繊維束４Ｂとを、液状のＰＶＡなどの水溶性接着剤で接着する。図３（Ａ）に示すものを清掃用品１として使用することが可能であるが、第１の実施の形態の清掃用品１は、図３（Ｂ）に示すように、繊維束４Ｂと保持材５とで形成された清掃用単体がさらに複数個重ねられ、各清掃用単体の保持材５どうしが水溶性接着剤で接着されている。
【００２９】
図１に示すように、この清掃用品１を使用する際には、保持部２を、ホルダ１０の支持部１２と押さえ部１３との間に挟んで保持させる。したがって、清掃用品１の保持部２は、ホルダ１０に装着されるまで、その形状を維持していればよく、保持部２によって繊維束４Ｂを強固に保持する必要はない。そのため、保持材５は、パルプ繊維などの天然繊維を抄紙し、またはパルプ繊維などの天然繊維と、レーヨン繊維などの再生セルロース繊維とを抄紙して繊維どうしの水素結合力で強度を発揮させた水解紙で形成されている。または、パルプ繊維やレーヨン繊維が、ＰＶＡやＣＭＣ（カルボキシメチルセルロース）などのバインダーで接合された水解紙であってもよい。あるいは保持材５は、ＰＶＡフィルムなどの水溶性樹脂フィルムで形成されてもよい。
【００３０】
または、保持部２において、繊維束４Ｂと保持材５を加圧し、または加熱し加圧するエンボス加工を施し、保持部２と繊維束４Ｂに機械的な圧縮力を与えて接合してもよい。また前記水溶性接着剤による接着と、前記エンボス加工とを併用してもよい。
【００３１】
清掃用品１の清掃部３に設けられた繊維束４Ｂは、トウ４Ａと同様に繊維どうしが密着した集合状態を維持したブラシを形成している。このブラシ部は剛性が高く弾力性に富んでいるため、この繊維束４Ｂのブラシで、水洗トイレットの便器の周辺の床面などのような乾燥した部分を拭き払うようにして清掃すると、床面などに落ちている体毛や綿埃などの埃やゴミが繊維４の間に絡められて除去される。
【００３２】
また、前記清掃用品１の清掃部３によって水洗トイレットの便器の内面などを清掃する際に、清掃部３に水を含ませると、繊維４が水分を吸収し繊維長が短くなるように収縮し、繊維の一部が溶解して繊維どうしが接着され、ＰＶＡ樹脂の繊維が高密度の塊体に変体する。この塊体は、多量の水分を吸収しているとともにスポンジのようにクッション性を呈する。
【００３３】
水分を吸収したＰＶＡ樹脂繊維の塊体で便器の表面などを擦ると、高密度で且つクッション性を呈する塊体が便器表面などに密着し、またクッション性によりその密着面積を広くできる。この塊体で便器表面などを擦ることにより前記表面に付着した汚れを除去できる。またＰＶＡ樹脂繊維の塊体を便器表面などに押圧すると、塊体に含まれている水分が、塊体と便器表面との間に浸出し、この水分で、便器表面などにこびり付いている汚れを効果的に除去できる。
【００３４】
清掃後に、清掃用品１を便器内に廃棄し、洗浄水で清掃用品１を流すと、多量の水が与えられることで、保持材５と繊維束４Ｂ（ＰＶＡ樹脂の集合体）とが剥がれ、繊維束４Ｂ（ＰＶＡ樹脂の集合体）が水中で分散し、配管に詰まることなく浄化槽内へ流れ、浄化槽に至る途中、または浄化槽内で繊維束４Ｂが溶解する。さらに保持材５も繊維どうしがばらばらになって分解される。
【００３５】
このように、前記清掃用品１は、床面などの乾燥した部分を清掃したときにブラシによる清掃効果を発揮でき、乾燥している箇所の清掃を完了した後に、湿潤状態にして便器の汚れを効果的に除去できる。１つの清掃用品１で便器およびその周辺の清掃を完了でき、しかも清掃後は水洗トイレット内に廃棄できる。
【００３６】
前記清掃部３に使用される繊維４を構成する湿潤収縮性樹脂は、親水性で水分を吸収したときに収縮し、繊維どうしが密着して繊維の塊体を形成できる水溶性樹脂または水膨潤性樹脂であればどのようなものでも使用できる。また生分解性の樹脂を用いることが好ましい。例えば、熱可塑性効果のある分子構造とした変性ポリビニルアルコール樹脂を使用することができる。またデンプン繊維、アルギン酸繊維なども使用可能である。清掃部３に使用される繊維４は、水分を自重の３倍以上吸収できるもので、前述のように、水温２０℃のイオン交換水を自重の３倍吸収したときに繊維長が２０％以上減少するものが好ましい。
【００３７】
前記のように水分を自重の３倍以上含み、水温２０℃のイオン交換水を自重の３倍含んだときに繊維長が２０％以上減少する樹脂を使用することにより、湿潤状態で繊維が集合して塊体となり、クッション性を呈して、便器表面などを拭き取りやすいものとなる。
【００３８】
図４ないし図９は本発明の他の実施の形態の水解性の清掃用品を示す斜視図である。
図４に示す第２の実施の形態の水解性の清掃用品２１は、ＰＶＡ繊維のトウを図２（Ａ）に示すトウ４Ａの２倍の長さに切断し、このトウ４Ａを繊維と直交する方向へ広げて繊維束４Ｄを形成する。この繊維束４Ｄをその長さ寸法の半分の位置で折り曲げて、ループ部２４を形成する。繊維束４Ｄの端部どうしを合わせて水溶性接着剤で接着し、さらに、繊維束４Ｄの端部を保持材５で覆い、保持材５と繊維束４Ｄとを水溶性接着剤で接着して、保持部２２を形成している。繊維束４Ｄを折り曲げたループ部２４が清掃部２３の先部に位置している。
【００３９】
清掃用品２１は、図４の状態で使用され、または、図３（Ｂ）と同様に、図４に示すものが複数個重ねられ、保持材５どうしが水溶性接着剤で接着されて清掃用品として使用される。図４に示す清掃用品２１は、清掃部２３の先部に繊維束４Ｄのループ部２４が現れているため、このループ部２４で乾燥状態の床面などを清掃することができる。
【００４０】
図５は本発明の第３の実施の形態の水解性の清掃用品３１を示している。この清掃用品３１は、図２（Ａ）に示すＰＶＡ繊維が円柱状に集合したトウ４Ａが使用されている。このトウ４Ａの一方の端部の周囲に保持材５が巻かれて水溶性接着剤で接着されて保持部３２が形成されている。保持部３２においてトウ４Ａが保持材５で巻かれていることにより、ホルダに装着するまでの間にトウ４Ａを構成する繊維４がばらばらに分離するのを防止できる。この清掃用品３１を保持するホルダは、図１に示す支持部１２と押さえ部１３の代わりに、対向する支持面が円筒形状の支持部および押さえ部が使用される。
【００４１】
図５に示す清掃用品３１は、ＰＶＡ樹脂の繊維４が集合して圧縮されて繊維４どうしが物理的に密着したトウ４Ａで清掃部３３が形成されているため、清掃部３３の剛性が高く、床面などの乾燥している箇所を拭き払うときに、ゴミや埃を効果的に除去することができる。この清掃作業の途中で、清掃部３３のトウ４Ａに外力が作用してトウ４Ａを構成している繊維４がほぐれて、さらにブラシとして最適な状態となる。
【００４２】
また、清掃部に図５に示すトウ４Ａを複数個並べ、この複数個のトウ４Ａの基部を保持材５で固定して、複数の円柱状のブラシ部が形成された清掃用品を構成することも可能である。
【００４３】
図６は本発明の第４の実施の形態の水解性の清掃用品４１を示す斜視図である。この清掃用品４１は、清掃部４３が、ＰＶＡ樹脂の繊維束４Ｄと水解性のシート４４とで構成されている。繊維束４Ｄは、図４の清掃用品２１に使用されているものと同じである。
【００４４】
水解性のシート４４は、シートパルプと称されるものであり、パルプ繊維が積層されてシート状に加圧されて形成されている。このシートパルプはパルプ繊維の水素結合力によりシート形状を保っている。あるいはＰＶＡなどの水溶性接着剤でパルプ繊維どうしが接着されているものであってもよい。シートパルプは、保持材５として使用される水解紙（目付けが１０〜３０ｇ／ｍ２程度）に比べて、繊維目付けが十分に大きいものであり、シートパルプの目付けは５００〜１０００ｇ／ｍ２程度である。シートパルプで形成された水解性のシート４４は、目付けが大きく密度も高く剛性が高い。
【００４５】
この清掃用品４１は、トウを幅広に広げた繊維束４Ｄに水解性のシート４４を挟んで、繊維束４Ｄを折り曲げて形成されるものであり、繊維束４Ｄのループ部２４が水解性のシート４４の下辺４４ａの外側に位置している。繊維束４Ｄの端部は、水解性のシート４４の上辺４４ｂに揃えられて、シート４４と繊維束４Ｄとが水溶性接着剤で接着され、さらに繊維束４Ｄが保持材５で覆われて、保持材５と繊維束４Ｄとが水溶性接着剤で接着されている。また前記接着と併用して、あるいは前記接着の代わりとして、シート４４と繊維束４Ｄおよび保持材５を重ねた状態で、エンボス加工で加圧し、あるいは加熱して加圧し、保持部４２の形状を保つようにしてもよい。
【００４６】
この清掃用品４１は、ＰＶＡ樹脂の繊維４で形成された繊維束４Ｄがシート４４で支えられるため、乾燥状態での清掃と湿潤状態での清掃の双方において、清掃部４３が剛性を有し、清掃部４３を床面や便器などの被清掃部に対して強く擦り付けることが可能になる。使用後に水洗トイレット内に廃棄すると、保持材５による拘束が解かれ、清掃用品４１は、繊維束４Ｄとシート４４および保持材５に分離し、それぞれが水中で分解される。
【００４７】
なお、図３（Ｂ）に示す清掃用品１や図５に示す清掃用品３１においても、ＰＶＡ樹脂の繊維４と共に、前記水解性のシート（シートパルプ）４４を併用することが可能である。または、前記シート４４の代わりに、繊維長が２０ｍｍ以下の繊維（例えばパルプ繊維）で立体的に形成された水解性のブロックを使用することも可能である。この水解性のブロックは、繊維を圧縮して水素結合力で繊維どうしを結合させたもの、あるいは水溶性バインダーで繊維どうしを接合したものである。
【００４８】
図７は本発明の第５の実施の形態の水解性の清掃用品５１を示す斜視図である。この清掃用品５１は、水を含んだ湿潤状態において膨潤し収縮する湿潤収縮性樹脂で形成されたフィルム５４が使用されている。このフィルム５４は、水分を吸収して樹脂が厚み方向へ膨潤する結果、フィルムの面積が減少するように収縮する。このフィルム５４は、前記繊維４と同じＰＶＡ樹脂などで形成されたものであり、水分を自重の３倍以上含むことができ、また水温２０℃のイオン交換水を自重の３倍含んだときに、フィルムの少なくとも一方向の長さが２０％以上減少するものである。または面積が２０％以上減少するものである。
【００４９】
前記フィルム５４は円柱状にしっかり強く巻かれ、保持部５２おいて、その外周に保持材５が巻かれ、保持材５とフィルム５４とが水溶性接着剤で接着されている。清掃部５３では、円柱状に巻かれたフィルム５４が互いに接着されておらず、自由に動けるようになっている。
【００５０】
この清掃用品５１は保持部５２がホルダに装着されて保持される。この清掃用品５１を保持するホルダは、図１に示す支持部１２と押さえ部１３の代わりに、対向する支持面が円筒形状の支持部および押さえ部が使用される。清掃部５３では、フィルム５４が多重に巻かれて密度が高くなっているため、フィルム５４によって床面などの乾燥している被清掃部のゴミや埃を除去することができる。便器内の清掃時にフィルム５４が水で濡れると、フィルム５４が膨潤して収縮し、フィルム５４どうしが接着されてＰＶＡ樹脂が集合して塊体となる。この塊体は、前記繊維束が湿潤したときの塊体と同様に、多くの水を含んでクッション性を呈し、便器などに付着した汚れを効果的に除去することができる。
【００５１】
図８は本発明の第６の実施の形態の水解性の清掃用品６１を示す斜視図である。この清掃用品６１は、図７と同様のフィルム５４が円柱状に巻かれ、保持部６２において、外周に保持材５が巻かれて水溶性接着剤で接着されている。清掃部６３では、円柱状に巻かれたフィルム５４が、その巻き軸に沿う方向へ切り込まれて、複数の切り込み６４が形成されている。その結果、清掃部６３では、フィルム５４が多数の短冊状片に分離されてブラシ部６５が形成されている。なお、切り込み６４は保持部６２まで延びてない。したがって、ホルダに装着する前に、短冊状片がばらばらに分離することはない。
【００５２】
または、帯状のフィルム５４に一定のピッチの切り込みを形成して、帯状のフィルム５４に多数の短冊状片を形成し、その後にフィルム５４を円柱状に巻いて清掃部６３を構成してもよい。
【００５３】
図８に示す清掃用品６１は、清掃部６３で床面などの乾燥した部分を清掃するときに、ブラシ部６５を構成しているフィルム５４の短冊状片によって、ゴミや埃を払うことができる。またこの清掃用品６１を保持するホルダは、図１に示す支持部１２と押さえ部１３の代わりに、対向する支持面が円筒形状の支持部および押さえ部が使用される。
【００５４】
図９は本発明の第７の実施の形態の水解性の清掃用品７１を示す斜視図である。この清掃用品７１は、フィルム５４が複数枚重ねとなるように折り畳まれ、その基部に保持材５が巻かれて水溶性接着剤で接着され、平坦な形状の保持部７２が形成されている。
【００５５】
また、図９に示す清掃用品７１において、フィルム５４を折り畳むのではなく、長方形状の多数のフィルム５４を重ねて束ねて清掃部７３を形成してもよい。この場合もフィルム５４に複数の切り込みを入れて、多数の短冊状片を形成してブラシ状とすることが可能である。
【図面の簡単な説明】
【００５６】
【図１】本発明の第１の実施の形態の水解性の清掃用品がホルダに保持された状態を示す斜視図、
【図２】（Ａ）（Ｂ）は第１の実施の形態の水解性の清掃用品の製造過程を順に示す斜視図、
【図３】（Ａ）（Ｂ）は第１の実施の形態の水解性の清掃用品の製造過程を順に示す斜視図であり、（Ｂ）は完成後の清掃用品を示す、
【図４】第２の実施の形態の水解性の清掃用品を示す斜視図、
【図５】第３の実施の形態の水解性の清掃用品を示す斜視図、
【図６】第４の実施の形態の水解性の清掃用品を示す斜視図、
【図７】第５の実施の形態の水解性の清掃用品を示す斜視図、
【図８】第６の実施の形態の水解性の清掃用品を示す斜視図、
【図９】第７の実施の形態の水解性の清掃用品を示す斜視図、
【符号の説明】
【００５７】
１  清掃用品
２  保持部
３  清掃部
４  湿潤収縮性樹脂の繊維
４Ａ  トウ
４Ｂ，４Ｄ  繊維束
１０  ホルダ
１２  支持部
１３  押さえ部
２１，３１，４１，５１，６１，７１  清掃用品
２２，３２，４２，５２，６２，７２  保持部
２３，３３，４３，５３，６３，７３  清掃部
４４  水解性のシート
５４  湿潤収縮性樹脂のフィルム
６４  切り込み
６５  ブラシ部
【図１】
2006314624.tif 000003
【図２】
2006314624.tif 000004
【図３】
2006314624.tif 000005
【図４】
2006314624.tif 000006
【図５】
2006314624.tif 000007
【図６】
2006314624.tif 000008
【図７】
2006314624.tif 000009
【図８】
2006314624.tif 000010
【図９】
2006314624.tif 000011